(57)【要約】【課題】従来のゲート型アンテナは、２つのゲートアンテナの間を通過する無線タグの情報を迅速にかつ正確に読み取ることができなかった。また、上記アンテナの位相を変更する機能の動作は極めて複雑かつ煩雑なものとなっていた。【解決手段】本発明では、読取部１０００Ｂが所定の条件において上記受信信号が解読できないことを検出する検出部と、当該検出部が上記所定の条件において解読できない場合、アンテナ部から送信する搬送波の相互の位相差を変更して送信部１０００が上記搬送波を送信する。【選択図】図２
2008294877.tif 000002
【特許請求の範囲】
【請求項１】
無線タグからの情報を読み取る無線読取装置において、
お互いに対向するアンテナを有するアンテナ部と、
当該アンテナ部から送信信号を含む搬送波を送信する送信部と、
当該送信部からの上記搬送波の送出により上記無線タグからの情報を受信する受信部と、
当該受信部が受信した受信信号を解読する読取部と、
当該読取部が所定の条件において上記受信信号が解読できないことを検出する検出部と、
当該検出部が上記所定の条件において解読できない場合、前記アンテナ部から送信する搬送波の相互の位相差を変更して前記送信部が上記搬送波を送信するように制御する制御部と、を備えることを特徴とする無線読取装置。
【請求項２】
前記検出部が所定の条件において上記受信信号を解読できない場合の所定の条件が、無線タグからの受信信号が所定の時間内に受信できない場合であることを特徴とする請求項１記載の無線読取装置。
【請求項３】
前記検出部が所定の条件において上記受信信号を解読できない場合の所定の条件が、所定の時間内に受信した上記受信信号が所定の情報量でない場合であることを特徴とする請求項１記載の無線読取装置。
【請求項４】
前記制御部は、前記検出部が上記受信した受信信号を解読できないことを検出した場合、上記相互の位相差を設定された複数の位相差により段階的に変更しながら前記送信部から上記搬送波を送信することを特徴とする請求項１記載の無線読取装置。
【請求項５】
更に、入力部を有し、当該入力部からの入力によって前記制御部が前記記憶部に複数の任意の位相差を設定させることを特徴とする請求項１記載の無線読取装置。
【請求項６】
無線タグからの情報を読み取る無線読取装置において、
お互いに対向するアンテナを有するアンテナ部と、
当該アンテナ部から送信信号を含む搬送波を送信する送信部と、
当該送信部からの上記搬送波の送出により上記無線タグからの情報を受信する受信部と、
当該受信部が受信した受信信号を解読する読取部と、
前記アンテナ部から送信する搬送波の位相差を所定時間内にて自動的に変更して前記送信部が上記搬送波を送信するように制御する制御部と、を備えることを特徴とする無線読取装置。
【請求項７】
更に、複数の位相差の値が記憶された記憶部を有し、
前記制御部は、上記位相差を設定された複数の位相差により段階的に変更して前記送信部から上記搬送波を送信することを特徴とする請求項６記載の無線読取装置。
【請求項８】
更に、入力部を有し、当該入力部からの入力によって前記制御部が前記記憶部に複数の任意の位相差を設定させることを特徴とする請求項６記載の無線読取装置。
【発明の詳細な説明】
【技術分野】
【０００１】
本発明は、情報記憶媒体に記憶された情報を読み取る無線読取装置に関し、特に、複数のアンテナを有する無線読取装置に関する。
【背景技術】
【０００２】
電磁誘導により供給された電力で動作する非接触情報記憶媒体として無線タグや非接触ＩＣカード等がある。これらの無線ＩＤタグや非接触ＩＣカードは、非接触で様々な情報が読み取ることができるので、入退室管理、電子乗車券、物流管理、機密文章管理等の広い分野で今後も拡がっていくことが予想される。特に、非接触情報記憶媒体を使用する誘導式読取装置を入退室管理用に用いる場合、２つ以上のアンテナを対向配置したゲート型アンテナが用いられる。このような用途では、ゲート型のアンテナ間を通過する非接触情報記憶媒体とゲート型アンテナ間で確実な通信を行うためにゲート間の各位置、各方向成分において、均一な磁界強度が要求される。この要求事項に対応するための一例が（特許文献１）に記載されている。
【０００３】
（特許文献１）に記載のゲートアンテナは、それぞれ対向に配置された８字型のループアンテナに加え、８字型のループアンテナに磁気的結合する無給電のループアンテナを有しており、更に、８字型のループアンテナに供給される誘導電流の位相を１８０°ずらし、無給電ループアンテナに供給される誘導電流の位相を９０°ずらし、ゲートアンテナの互いにおける誘導電流の位相を９０°ずらすことによって磁束分布の均一化を図るものである。
【特許文献１】特開２００３−２５８５４５号公報
【発明の開示】
【発明が解決しようとする課題】
【０００４】
上述のように、（特許文献１）に記載のゲート型アンテナは、ゲートアンテナの構造として８字型以上のループアンテナと、８字型のアンテナと電磁結合を起こすための無給電ループアンテナを必要とし、更に、それぞれのアンテナに供給される誘導電流の位相を９０°単位でずらす必要があり、その構造とアンテナ制御において複雑又は煩雑なものとなっていた。
【０００５】
そこで、本発明の目的は、簡潔な構造であり、かつそのアンテナ制御が容易な無線読取装置を提供することである。
【課題を解決するための手段】
【０００６】
本発明では、無線タグからの情報を読み取る無線読取装置において、お互いに対向するアンテナを有するアンテナ部と、当該アンテナ部から送信信号を含む搬送波を送信する送信部と、当該送信部からの上記搬送波の送出により上記無線タグからの情報を受信する受信部と、当該受信部が受信した受信信号を解読する読取部と、当該読取部が所定の条件において上記受信信号が解読できないことを検出する検出部と、当該検出部が上記所定の条件において解読できない場合、前記アンテナ部から送信する搬送波の位相差を変更して前記送信部が上記搬送波を送信するように制御する制御部と、を備えて構成される。
【発明の効果】
【０００７】
本発明は、対向して設置されたゲートアンテナが、アンテナより出力される誘導電流の位相差を適切な値に設置することによって、ゲートアンテナ間に存在する無線タグが各位置又は各方向成分に拘わらず、無線タグ内に格納された情報を迅速かつ確実に読み取ることができる。
【発明を実施するための最良の形態】
【０００８】
請求項１に記載される第１の発明では、無線タグからの情報を読み取る無線読取装置において、お互いに対向するアンテナを有するアンテナ部と、当該アンテナ部から送信信号を含む搬送波を送信する送信部と、当該送信部からの上記搬送波の送出により上記無線タグからの情報を受信する受信部と、当該受信部が受信した受信信号を解読する読取部と、当該読取部が所定の条件において上記受信信号が解読できないことを検出する検出部と、当該検出部が上記所定の条件において解読できない場合、上記アンテナ部から送信する搬送波の位相差を変更して上記送信部が上記搬送波を送信するように制御する制御部と、を備えて構成される。この構成により、互いに対向するアンテナ間に位相差を設けて、無線タグに内蔵されるアンテナとの良好な向きをもって無線タグの情報を正確に読み取ることができる。
【０００９】
請求項２に記載される第２の発明は、第１の発明にて、上記検出部が所定の条件において上記受信信号を解読できない場合の所定の条件が、無線タグからの受信信号が所定の時間内に受信できない場合の無線読取装置である。この構成により、不十分又は不適切な情報の入手状況を迅速に検出して、読取部による解読動作を即座に行うことできる。
【００１０】
請求項３に記載される第３の発明は、第１の発明にて、上記検出部が所定の条件において上記受信信号を解読できない場合の所定の条件が、所定の時間内に受信した上記受信信号が所定の情報量でない場合の無線読取装置である。この構成により、不十分又は不適切な情報の入手状況を迅速に検出して、読取部による解読動作を即座に行うことできる。
【００１１】
請求項４に記載される第４の発明は、第１の発明にて、上記制御部は、上記検出部が上記受信した受信信号を解読できないことを検出した場合、上記相互の位相差を設定された複数の位相差により段階的に変更しながら上記送信部から上記搬送波を送信するように構成される。この構成により、解読できない状態を解消する為に、位相差を段階的に変更して対応することができ、無線タグのアンテナの向きに即座に対応することができる。
【００１２】
請求項５に記載される第５の発明は、第４の発明にて、更に、入力部を有し、当該入力部によって上記記憶部に複数の任意の位相差を設定するように上記制御部に指示するように構成されている。この構成により、無線タグのアンテナ固有の向きに関する特性にも対応することができる。
【００１３】
請求項６の発明は、無線タグからの情報を読み取る無線読取装置において、お互いに対向するアンテナを有するアンテナ部と、当該アンテナ部から送信信号を含む搬送波を送信する送信部と、当該送信部からの上記搬送波の送出により上記無線タグからの情報を受信する受信部と、当該受信部が受信した受信信号を解読する読取部と、上記アンテナ部から送信する搬送波の相互の位相差を所定時間内にて自動的に変更して上記送信部が上記搬送波を送信するように制御する制御部と、を備えて構成される。この構成により、無線タグのアンテナの向きに拘わらず無線タグに記憶された情報を即座に読み取ることができる。
【００１４】
請求項７の発明は、更に、複数の位相差の値が記憶された記憶部を有し、上記制御部は、上記位相差を設定された複数の位相差により段階的に変更して上記送信部から上記搬送波を送信するように構成した。この構成により、解読できない状態を解消する為に、位相差を段階的に変更して対応することができ、無線タグのアンテナの向きに即座に対応することができる。
【００１５】
請求項８は、更に、入力部を有し、当該入力部からの入力によって上記制御部が上記記憶部に複数の任意の位相差を設定させるように構成した。この構成により、無線タグのアンテナ固有の向きに関する特性にも対応することができる。
【００１６】
（実施の形態１）
本発明の実施の形態１における無線読取装置について、図面に沿って説明する。図１は、本発明の実施の形態１に係る無線読取装置の全体構成を示す図であり、図２は、図１における無線読取装置の機能構成ブロック図である。また、図３は、本発明の実施の形態１に係る無線読取装置のゲートアンテナ間で無線タグの各方向成分における磁界強度と位相差との関係を示す図である。
【００１７】
先ず、図１に沿って上記無線読取装置の全体構成について説明する。図１に示すように、無線読取装置１０は、電源（電池）を有しない無線タグ２０と１３．５６ＭＨｚ帯を使用して非接触で通信することが可能な装置であり、無線タグへ電磁誘導によりデータを出力する。
【００１８】
また、本読取装置は、無線タグによるアンテナの負荷変動によって無線タグ２０からのデータを受信するループアンテナ１０１、１０３と無線タグ２０を読み書きする無線読取装置１０５及び無線読取装置本体に接続されるパーソナルコンピュータ（以下、「ＰＣ」）１０６とを備えている。このＰＣ１０６は、上記アンテナ間の任意の位相差を設定する入力手段であり、詳細は後述する。
【００１９】
更に、本読取装置は、同軸ケーブル１０２、１０４によってループアンテナ１０１、１０３が無線読取装置本体１０５に接続されている。ループアンテナ１０１、１０３は、無線読取装置本体の送信信号を無線タグ２０へ送信することで無線タグ２０への電力を供給する。その後、無線タグによるアンテナの負荷変動により、アンテナは受信信号を取得する。
【００２０】
無線タグがループアンテナ１０１、１０３の間を通過することを前提に装置が構成されているため、２つのループアンテナから同時に送信信号を送信し、無線タグからの受信信号を同時に受信する場合がある。その場合、先に受信した信号を優先的に処理し、後から受信した同じ信号は無視する。また、受信したデータを誘導式読取装置本体１０５からＰＣ１０６に転送し、受信したデータに対する認証処理などを行う。
【００２１】
次に、無線読取装置１０５の詳細について図２に基づいて説明する。図２に示すように、無線読取装置１０５の装置本体には、送信部１００１と、１つの出力波形を同じ出力波形２つに分ける分配部１００２と、分配した出力波形のうち１つの波形を任意に遅らせる位相変更部１００３と、無線タグから受けたアンテナの負荷変動データを受信する送信結合部１００４と、受信したデータを増幅する増幅部１００５と、受信したデータをアナログからデジタルデータに変換するＡＤ変換部と、変換されたデータを解析し、解析不可のデータを受信した時に、位相変更部へ遅れ位相値の変更を指示し、再度、送信部へ送信データを渡すように指示する制御部１０００が設けられている。
【００２２】
以下に、各部の個々の機能について詳細に説明する。
【００２３】
先ず、送信部１００１は、送信すべきデータを振幅変調して送信信号を生成し、分配部１００２へ出力する機能を備えている。
【００２４】
分配部１００２は、送信部１００１から受けた送信信号を信号の状態を変更することなく、全く同じ２つの送信信号に分ける機能を備えている。また、２つに分けた送信信号のうち、一方はアンテナ１０１へ出力されており、他方は位相変更部１００３へ出力されている。位相変更部１００３は、分配部１００２より分配された送信信号のうち、１つの送信信号について、信号の振幅、周期等は全く変更させずに、信号の位相のみ変更し、アンテナ１０３へ出力する機能を備えている。結合部１００４は、アンテナ１０１へ出力される分配部１００２からの送信信号が受信部（増幅部１００５を含む側）へ流れ込むことを抑制するために設けられている。増幅部１００５は、アンテナ１０１、１０３により受信された無線タグによる負荷変動により出力されたデータを増幅する。変換部１００６は、増幅部１００５より出力された信号を必要な信号とノイズとに分けて、２値変換し、デジタルデータとして出力する。
【００２５】
制御部１０００は、無線タグに送信するデータを送信部１００１経由で出力し、変換部１００６から出力された受信データを解析し、位相変更部１００３に位相変更の信号を出力し、入出力インターフェース部１００７へコマンドを出力するなど、上記各部を統括した制御をする。ここで、制御部１０００は、記憶部１０００Ａ及び読取部１０００Ｂを有し、この記憶部には、予め１／８π〜３／８π（ｒａｄ）の範囲にて所定の３つの位相差（第１の位相差、第２の位相差、第３の位相差）が選択されており、この記憶部に格納されている。また、デジタルデータとなった受信信号は、読取部１０００Ｂにより解読される。
【００２６】
次に、読取装置本体１０５の動作について図３に沿って説明する。先ず、ステップ１にて、送信部１００１は、ゲートアンテナ１０１、１０３の間を通る無線タグ２０に格納された情報を読み取るために出力データを送信する。
【００２７】
ステップ２にて、送信部１００１によって振幅変調されて生成された送信信号は、分配部１００２に出力されて、１つであった送信信号が全く同じ２つの送信信号に分けられ、後述の通り、一方はゲートアンテナ１０１へ、他方は位相変更部１００３へ出力されるようになる。
【００２８】
ステップ３にて、分配部１００２からの送信信号を受信した位相変更部１００３は、初期の主搬送波位相（第１の搬送波）における搬送波をゲートアンテナ１０３へ出力する。
【００２９】
ステップ４にて、主搬送波に適切な位相差を持った２つの出力信号がゲートアンテナ１０１、１０３から出力され、ゲートアンテナ間を通る無線タグへ電磁誘導により十分な電力が供給され、アンテナは、負荷変動により無線タグ２０からデータを受信する。
【００３０】
ステップ５にて、アンテナから受信されたデータは、結合部１００４、増幅部１００５、ＡＤ変換部１００６を経由してデジタル信号データとして制御部１０００へ出力される。
【００３１】
ステップ６にて、制御部１０００は、受信された信号データを読取部１０００Ｂに解読させる。
【００３２】
次に、ステップ７にて、本実施の形態では、４回の解読動作により読取動作が終了するように設定されており、即ち、後述のように、搬送波の位相を３回変更して読み取るようになっている。このステップ７にて、現在、１回目であるために、ステップ８に移行する（第１の搬送波）。
【００３３】
ステップ８では、主搬送波の基本位相に１／８πラジアンだけ加えた変更搬送波（第２の搬送波）に変更してステップ１からステップ３を経てアンテナ部１０３より出力する。
【００３４】
ここで、ステップ７にて、２回目である場合、ステップ８では、主搬送波の基本位相に２／８πラジアンだけ加えた変更搬送波（第３の搬送波）に変更してステップ１からステップ３を経てアンテナ部１０３より出力する。続いて、ステップ７にて、ステップ８では、主搬送波の基本位相に３／８πラジアンだけ加えた変更搬送波（第４の搬送波）に変更してステップ１からステップ３を経てアンテナ部１０３より出力する。
【００３５】
次に、ステップ７にて、４回の解読動作となった場合、ステップ９に移行して搬送波の出力を停止して読み取り動作を終了する。即ち、変更搬送波が４種類設定されている場合、５回の解読動作が実行される。尚、入力手段から、上記読み取り動作を行う時間を任意に設定することができる。
【００３６】
以上のように、本実施の形態では、極めて短い所定時間内に異なる４種類の位相を有する搬送波をアンテナ部から出力することによりアンテナ１０１、１０３間の通過する無線タグを極めて迅速に読み取ることができる。
【００３７】
また、ユーザは、入力手段であるＰＣ１０６から複数の任意の位相を設定することができ、この位相の値を基本主搬送波に加えた変更搬送波をアンテナから出力する。従って、所定時間（通常、人が通過する時間の範囲）内に複数の設定された位相差を有する搬送波がアンテナから出力されて、読み取り動作を経て、無線タグの任意の姿勢に拘わらず、迅速な無線タグの読み取りが可能となる。
【００３８】
（実施の形態２）
本発明の実施の形態２における無線読取装置について、図面に沿って説明する。本発明の実施の形態２に係る無線読取装置の全体構成は、図１と同様であり説明を省略する。図１における無線読取装置の機能構成ブロック図も図２と同様であり説明を省略する。図５は、本発明の実施の形態２に係る無線読取装置のゲートアンテナ間で無線タグの各方向成分における磁界強度と位相差との関係を示す図である。即ち、実施の形態２の構成は、実施の形態１のものと同じであるが、制御部による読み取り動作が異なるものである。
【００３９】
次に、読取装置本体１０５の読み取り動作について図４に沿って説明する。先ず、ステップ１１にて、送信部１００１は、ゲートアンテナ１０１、１０３の間を通る無線タグ２０に格納された情報を読み取るために出力データを送信する。
【００４０】
ステップ１２にて、送信部１００１によって振幅変調されて生成された送信信号は、分配部１００２に出力されて、１つであった送信信号が全く同じ２つの送信信号に分けられ、後述のように、一方はゲートアンテナ１０１へ、他方は位相変更部１００３へ出力されるようになる。
【００４１】
ステップ１３にて、分配部１００２からの信号を受信した位相変更部１００３は、予め１／８π〜３／８π（ｒａｄ）の所定の位相に対して設定している位相分だけ出力信号の主搬送波位相を遅らせ、ゲートアンテナ１０３へ出力する。
【００４２】
ステップ１４にて、主搬送波に適切な位相差を持った２つの出力信号がゲートアンテナ１０１、１０３から出力され、ゲートアンテナ間を通る無線タグへ電磁誘導により十分な電力が供給され、アンテナは、負荷変動により無線タグ２０からデータを受信する。
【００４３】
ステップ１５にて、アンテナから受信されたデータは、結合部１００４、増幅部１００５、ＡＤ変換部１００６を経由してデジタル信号データとして制御部１０００へ出力される。
【００４４】
ステップ１６にて、制御部１０００は、受信された信号データを判別し、適正なデータであれば、データの処理を完了してゲートアンテナ１０１、１０３間を通過する無線タグ２０のデータを読むための処理に移る（ステップ１７）。その後、ステップ１８にて、送信部は、上記搬送波の出力を停止する（ステップ１８）。
【００４５】
ステップ１６にて、もし、（１）制御部１０００が受けた信号データが正しくなく（所定の情報でない場合を含む）、または、（２）制御部１０００が所定の時間内に信号データが受信できなかった場合は、検出部はそれを検出し、そのデータ処理を中断し（ステップ１９）、位相変更部１００３へ予め設定していた所定の位相差に変更する（第１の位相差を採用する）指示を出す（ステップ２０）と共に、再度、ステップ１１からステップ１６を繰り返して、送信部１００１から無線タグ２０に格納された情報を読み込むための出力データを送信し、当該出力データがアンテナから送出される。更に、上記（１）又は（２）の状況であれば、位相変更部１００３は、第２の位相差に変更し、ステップ１１に移行し、再度、上記（１）又は（２）の状況であれば、位相変更部１００３は、第３の位相差に変更し、ステップ１に移行する。このような処理を順次繰り返し行うことで無線タグを確実に読み取ることができる。
【００４６】
尚、図１に示したＰＣ１０６は、入力手段であり、ユーザは、上記位相差を任意の値に入力設定でき、制御部１０００の記憶部１０００Ａは、その設定された位相差を記憶しておく。この設定される位相差の数に制限はなく、通常、３から２０程度の値が設定される。従って、制御部は、設定記憶された複数の位相差のうち、小さい値から大きい値へと順に位相差を変更することになる。
【００４７】
図２にて互いに対向した位置にあるゲートアンテナ１０１、１０３より、任意の位相差を持った搬送波出力が送信可能であることを記載したが、無線タグ２０が電磁誘導による動作を実現するための任意の位相差での搬送波出力に対する各方向成分の磁界強度シュミレーションしたものを図５に示す。
【００４８】
ゲートアンテナ１０１、１０３を通過する無線タグ２０が、ｘ、ｙ及びｚの各方向を向いていた場合を仮定し、その無線タグ２０が向けられている各方向を平面とした磁界強度を示している。
【００４９】
図４において、上記分布図は、上段、中段及び下段に分かれており、上段は無線タグ２０のアンテナ平面がゲートアンテナ１０１、１０３に対して進行方向（ｘ方向）を向いている時の磁界強度分布を示している。上段左側の磁界強度分布では、ゲートアンテナ１０１、１０３から互いに出力される主搬送波の位相差が０°になった場合のｙ−ｚ平面の磁界強度を表しているが、互いのゲートアンテナ１０１、１０３より放射される磁束がｘ方向に向いた無線タグ２０のアンテナをほとんど通過せず、磁界強度が小さくなる。また、一方のゲートアンテナ１０１に対し、他方のゲートアンテナ１０３の位相が１８０°遅れた場合の磁界強度を上段右側に示す。このように、位相が１８０°遅れることにより、ｙ−ｚ平面のほぼ全ての場所において無線タグとの通信に必要十分な磁界強度を得ることができる。更に、一方のゲートアンテナ１０１に対し、他方のゲートアンテナ１０３の位相差を１／８π〜３／８π（ｒａｄ）遅らせたものを上段中央に示す。このとき磁界強度は１８０°の時とほぼ同じ結果となり無線タグ２０との通信を行うことが可能である。
【００５０】
また、中段は、無線タグ２０がゲートアンテナに対して垂直方向（ｙ方向）を向いている時の磁界強度分布を示しており、中段左側の磁界強度分布では、ゲートアンテナ１０１、１０３から互いに出力される主搬送波の位相差が０°になった場合のｘ−ｚ平面の磁界強度を表しているが、互いのゲートアンテナ１０１、１０３より放射される磁束がｙ方向に向いた無線タグ２０のアンテナをほとんど通過せず、磁界強度が小さくなる。また、一方のゲートアンテナ１０１に対し、他方のゲートアンテナ１０３の位相が１８０°遅れた場合の磁界強度を中段右側に示す。位相が１８０°遅れることにより、ｙ−ｚ平面のほぼ全ての場所において無線タグとの通信に必要十分な磁界強度を得ることができる。更に、一方のゲートアンテナ１０１に対し、他方のゲートアンテナ１０３の位相差を１／８π〜３／８π（ｒａｄ）遅らせたものを中段中央に示す。このとき磁界強度は１８０°の時とほぼ同じ結果となり無線タグ２０との通信を行うことが可能である。
【００５１】
更に、下段は無線タグ２０がゲートアンテナに対して平行方向（ｚ方向）を向いている時の磁界強度分布を示しており、下段左側の磁界強度分布では、ゲートアンテナ１０１、１０３から互いに出力される主搬送波の位相差が０°になった場合のｙ−ｚ平面の磁界強度を表しているが、互いのゲートアンテナ１０１、１０３より放射される磁束がｘ方向に向いた無線タグ２０のアンテナを通過し、必要十分な磁界強度を得ることができる。また、一方のゲートアンテナ１０１に対し、他方のゲートアンテナ１０３の位相が１８０°遅れた場合の磁界強度を下段右側に示す。位相が１８０°遅れることにより、ｙ−ｚ平面のほぼ全ての場所において無線タグ２０のアンテナをほとんど通過せず、磁界強度が小さくなる。また、一方のゲートアンテナ１０１に対し、他方のゲートアンテナ１０３の位相差を１／８π〜３／８π（ｒａｄ）遅らせたものを下段中央に示す。このとき磁界強度は０°の時とほぼ同じ結果となり無線タグ２０との通信を行うことが可能である。
【００５２】
以上のように互いのループアンテナの位相差を０°と１８０°の中間の位置にあたる１／８π〜３／８π（ｒａｄ）で遅らせると、ｘ、ｙ及びｚの全ての無線タグの位置及び各方向において、無線タグを動作させる必要十分な磁界強度を得ることが可能であり、単純ループアンテナで構成されるゲート型アンテナ装置を使用しても、安定して、無線タグ２０の通信を可能であると判断できる。
【００５３】
以上、本発明の実施の形態２について説明してきたが、本発明は実施の形態１に限定されるものでなく、ゲートアンテナの数が２つ以上となった場合や、アンテナの形状が単純ループアンテナ以外の場合でも同様に各々のループアンテナに任意の位相差を設定することにより、無線タグを動作させるのに必要な磁界強度を得ることが可能であり、安定して無線タグと通信することができる装置を構成することができる。
【産業上の利用可能性】
【００５４】
本発明は、ゲートアンテナに無線タグ付きの物品又はカード型無線タグを携帯した人が通る時など、無線タグ内のループアンテナ方向が３次元方向に特定していない場合でも、高い精度で無線タグから負荷変動により送信される信号を受信できるので、より精度の高い物品管理ゲートや認証ゲートに適用できる。また、無線読取装置にて、対向に位置した２つ以上のループアンテナ間を通過する無線タグの供給電力がもっとも高くなるように、互いのループアンテナに供給される電力の位相差を適時変更することによって、更に高精度なゲートアンテナとすることができる。
【図面の簡単な説明】
【００５５】
【図１】本発明の実施の形態１における無線読取装置の全体外観構成図
【図２】本発明の実施の形態１における無線読取装置の全体構成ブロック図
【図３】本発明の実施の形態１における無線読取装置の動作を示すフローチャート
【図４】本発明の実施の形態２における無線読取装置の動作を示すフローチャート
【図５】本発明の実施の形態における無線読取装置のゲートアンテナ間の各方向における磁界分布図
【符号の説明】
【００５６】
１０    無線ＩＤ装置
２０    無線タグ
１０１    ループアンテナ１
１０２    アンテナケーブル１
１０３    ループアンテナ２
１０４    アンテナケーブル２
１０５    誘導式読取装置本体
１０６    ＰＣ
１０００    制御部
１００１    送信部
１００２    分配部
１００３    位相変更部
１００４    結合部
１００５    増幅部
１００６    変換部
１００７    入出力インターフェース部
【図１】
2008294877.tif 000003
【図２】
2008294877.tif 000004
【図３】
2008294877.tif 000005
【図４】
2008294877.tif 000006
【図５】
2008294877.tif 000007